【手続補正書】
【提出日】平成16年1月20日(2004.1.20)
【手続補正１】
【補正対象書類名】明細書
【補正対象項目名】０００７
【補正方法】変更
【補正の内容】
【０００７】
【発明が解決しようとする課題】
そのため、上記構成のＬＥＤヘッド４０においては、特に発光素子アレイ４１の発光点上の軸線と、レンズアレイ４３の中心とを一致させることが望ましい。しかしながら、このＬＥＤヘッド４０は、フレーム４７の溝部４６に対してレンズホルダ４４を挿入する構成であり、溝部４６とレンズホルダ４４との間には、微小なずれが生じる。それゆえ、コネクタ４９に嵌合される外部コネクタを脱着したときの衝撃または振動等により、記録用紙の搬送方向あるいは直交方向において、フレーム４７に対して溝部４６が原因となりレンズアレイ４３の装着位置にずれが生じる場合がある。


【手続補正２】
【補正対象書類名】明細書
【補正対象項目名】００２２
【補正方法】変更
【補正の内容】
【００２２】
すなわち、この画像形成装置では、記録用紙を搬送するための搬送機構１が備えられ、この搬送機構１は、一対の搬送ローラ２と、それに掛け渡された無端状のベルト３とからなる。ベルト３の水平方向部分３ａの上方には、イエロー、マゼンタ、シアンおよびブラックの４色に対応したプリントユニットＵ１，Ｕ２，Ｕ３，Ｕ４（以下、総称するときは「プリントユニットＵ」という。）が縦列配置されている。プリントユニットＵは、感光ドラム４Ｙ，４Ｍ，４Ｃ，４Ｂ（以下、総称するときは「感光ドラム４」という。）をそれぞれ備え、各感光ドラム４の周囲には、これに対して光を照射することにより静電潜像を形成するＬＥＤヘッド５、各色のトナーを供給するトナーカートリッジ６Ｙ，６Ｍ，６Ｃ，６Ｂ（以下、総称するときは「トナーカートリッジ６」という。）、図示しない現像器等が配置されている。そして、搬送機構１の下流側には、記録用紙に対してトナーによる可視像を定着させるための一対の定着器７が備えられている。


【手続補正３】
【補正対象書類名】明細書
【補正対象項目名】００３１
【補正方法】変更
【補正の内容】
【００３１】
フレーム１７の溝部１６の底面１６ｂは、レンズホルダ１４の下面２５ｂとほぼ同じ大きさに形成されている。また、溝部１６の底面１６ｂには、基板１２のコネクタ２１を貫通させるための孔２７が形成されている。なお、フレーム１７は、基板１２から発せられる熱を外部に放出させる放熱フィンとしても機能する。


【手続補正４】
【補正対象書類名】明細書
【補正対象項目名】００３３
【補正方法】変更
【補正の内容】
【００３３】
弾性部材１８は、上記フレーム１７の溝部１６に対して基板１２やレンズアレイ１４等を保持するために、フレーム１７の周囲に沿って装着される。詳細には、弾性部材１８の中央部１８ａがフレーム１７の裏面１７ａに当接し、押圧部２９がレンズホルダ１４の側壁部２５を上方から押圧する。なお、本実施形態において、各部品の保持に弾性部材１８が用いられる理由は、フレーム１７にレンズホルダ１４を装着する際に、接着やねじ止めを用いると、レンズホルダ１４が熱により膨張、収縮するときに、レンズホルダ１４が元の状態に戻りにくいことを考慮したためである。


【手続補正５】
【補正対象書類名】明細書
【補正対象項目名】００３９
【補正方法】変更
【補正の内容】
【００３９】
しかしながら、弾性部材１８がフレーム１７の周囲に沿って備えられる際、弾性部材１８の中央部１８ａがフレーム１７の裏面１７ａに当接し、弾性部材１８の先端にある押圧部２９がレンズホルダ１４の側壁部２５を下向きに押し付ける（図３の矢印Ａ参照）。そのため、樹脂からなるレンズホルダ１４は、側壁部２５が外側に広がるように外力を受け、その外側面２５ａがレンズホルダ１４の内側面１６ａと隙間の生じる可能性を少なくする。これにより、レンズホルダ１４の側壁部２５の外側面２５ａと、フレーム１７の溝部１６の内側面１６ａとは、互いにテーパ状とされていても、その表面同士は強固に当接されて固定される。したがって、ＬＥＤヘッド５に向かってトナーや紙紛等が飛来したとしても、それらがＬＥＤヘッド５内に侵入することを防止することができるといった利点がある。


【手続補正６】
【補正対象書類名】明細書
【補正対象項目名】００４０
【補正方法】変更
【補正の内容】
【００４０】
なお、レンズホルダ１４に対する弾性部材１８の押圧力は、図示しない外部コネクタを基板１２のコネクタ２１に着脱する場合に、レンズホルダ１４が容易にフレーム１７から外れないような力とされる。


【手続補正７】
【補正対象書類名】明細書
【補正対象項目名】００４２
【補正方法】変更
【補正の内容】
【００４２】
具体的には、レンズホルダ３１は、本体中央にレンズアレイ１３を支持するための貫通孔２３を有するアレイ支持部２２が形成され、本体下面側には溝部３２が形成されている。そして、溝部３２の内側面３２ａは、下方を向いて拡開されたテーパ状に形成されている。また、本体上面３１ａには、左右対称に長手方向に延びた係止溝３４が形成されている。この係止溝３４には、弾性部材１８の先端が係止される。


【手続補正８】
【補正対象書類名】明細書
【補正対象項目名】００４５
【補正方法】変更
【補正の内容】
【００４５】
また、第１実施形態では、フレーム１７とレンズホルダ１４とが当接され、両者１４，１７の隙間からのトナー等の侵入を抑制していたが、フレーム１７の溝部１６が感光ドラム４側を臨むように配置されるため、ＬＥＤヘッド５内へトナー等が侵入する可能性は皆無とは言えない。しかしながら、この第２実施形態では、レンズホルダ３１の溝部３２が感光ドラム４側と反対側に開放されるように配置されるため、トナー等が侵入する可能性をより抑えることができる。また、フレーム３３は、第１実施形態のフレーム１７と比べ、略平板状といった容易な形状とされているため、その成形が容易であるといった利点がある。


【手続補正９】
【補正対象書類名】明細書
【補正対象項目名】００４７
【補正方法】変更
【補正の内容】
【００４７】
図８は、上記第２実施形態の他の変形例を示すＬＥＤヘッド３７の断面図である。この他の変形例では、レンズホルダ３１の外側面３１ａに左右方向に延びた突起片３８が設けられている。この突起片３８は、プリントユニットＵに対してこのＬＥＤヘッド３７を取り付けるときに、取付部材Ｂに係止されるためのものである。すなわち、取付部材Ｂは、側面視で略Ｃ字状に形成され、上記突起片３８を係止する構成とされ、各突起片３８に対応して設けられたものである。このように、レンズホルダ３１に突起片３８が形成されておれば、それを取付部材Ｂに係止することにより、ＬＥＤヘッド３７をプリントユニットＵに対して容易に組付けることができる。そのため、製造時間の低減化を図ることができる。


【手続補正１０】
【補正対象書類名】明細書
【補正対象項目名】００４８
【補正方法】変更
【補正の内容】
【００４８】
もちろん、この発明の範囲は上述した実施の形態に限定されるものではない。たとえば、上述したＬＥＤヘッドの構造は、プリンタや複写機に限らず、ファクシミリ等の他の画像形成装置に適用されてもよい。また、上記のＬＥＤヘッドの構成は、カラー画像が可能な画像形成装置に適用するだけでなく、モノクロ印刷が可能な画像形成装置に適用するようにしてもよい。


【手続補正１１】
【補正対象書類名】図面
【補正対象項目名】図８
【補正方法】変更
【補正の内容】
【図８】
2002144624.tif 000001